(57)【特許請求の範囲】
【請求項１】
先端部及び後方端部が一側及び他側にそれぞれ形成されているとともに位置固定溝が内面に形成されているベルトを位置固定することのできるベルトバックルにおいて、
ベルトの後方端部をベルトの先端部の内側にガイドする長方形の切欠部が中央に形成されており、該切欠部を基準にして、位置固定溝に係止されるフックを有する前方板が切欠部の前方に形成されているとともに、後方板が切欠部の後方に形成される底面板と、
底面板の両側面に屈曲して形成されている側壁と、
底面板の上部に対向して形成されていて、底面板との間にベルト通路を形成する前面板と、を備えてなるバックル本体と、
ベルト通路に挿入されて後方板に固定されるように、底板が底に形成され、側壁が底板の両側に形成され、固定凹溝が側壁に形成されている固定片と、
固定凹溝に対して揺動可能に挿入されるヒンジピンが両側辺に形成されており、ベルトの先端部を固定するために、歯部が一側辺に形成されているヒンジピン一体型の固定具と、
から構成されることを特徴とするベルトバックル。
【請求項２】
前記底面板は、前記切欠部の外方側に支持辺部を備えることを特徴とする、請求項１記載のベルトバックル。
【請求項３】
前記固定片の底板が後方板と同じ大きさであり、底板及び後方板には互いに対応する固定孔がそれぞれ形成されていることを特徴とする、請求項１記載のベルトバックル。
【発明の詳細な説明】
【０００１】
（技術分野）
本発明は、ベルトバックルに関し、詳しくは、ベルトの後方端部がベルトの先端部と衣服との間に巻回されるように構成された内向巻回式ベルトバックルにおいて、ベルトの先端部をベルトバックルに固定させる固定具のヒンジピンがベルトバックルの外部に露出しないベルトバックルに関する。
【０００２】
（背景技術）
ベルトバックルは、衣服、特に、下着を着用者の体に安定的に密着させて活動に不便を与えないという主たる機能、及び、着用者の美的欲求を充足するという付随的な機能を有する。
【０００３】
このような機能を有するベルトバックルは、多様な形態で使用されている。
【０００４】
従来のベルトバックルは、ベルトの後方端部がベルトバックルに固定されたベルト先端部の外側に巻回されるようになっているため、常に、ベルトの後方端部が衣服から隔離された状態で放置されるようになっており、外観上好ましくないだけでなく、歩行中上着の袖口や外部物体に引っ掛るという不都合な点を有する。
【０００５】
このような問題点を解決するために、本出願人が先出願した大韓民国特許公開第1996−000111号公報（公開が1996年1月25日）には、ベルトの後方端部がベルトの先端部と衣服との間に巻回される内向巻回式ベルトバックルが提案されている。
【０００６】
前記内向巻回式ベルトバックルは、内部にベルトの後方端部が通過する通路が形成される六面管体状の上部及び下部チャンネルにより構成されている。前記上部チャンネルは、板体の両方側辺部を屈曲して所定高さを有する両方側壁を形成し、該両方側壁の下端部位を溶接などによって板状の下部チャンネルに取り付けて内部にベルト通路を形成し、前記下部チャンネルの底面一方側にはベルトの後方端部が挿入されて通過するように切欠部（cut−out）が形成されている。
【０００７】
従って、使用者がベルトを着用する際、ベルトの後方端部が板状のバックルの内部通路を通過して挿入された後、下部チャンネルの切欠部を介してベルトの先端部と衣服との間に位置するようになるので、外部に露出することがない。
【０００８】
また、ベルトバックルの下部チャンネルの内側面には鋸の歯状の掛止溝が所定間隔を有して形成され、ベルトバックルの下部チャンネルの入口側にはベルトの掛止溝に掛止されるフックが上方側に突出形成されているので、ベルトの後方端部をベルトバックルの内側通路に挿入すると、バックルのフックがベルトの掛止溝に容易に挿入固定されるようになっている。
【０００９】
即ち、このような本出願人の先出願によるベルトバックルにおいては、図1に示したように、ベルトバックルの上部チャンネル20の両方側壁21，21にそれぞれ形成された各ヒンジ孔22，22に、固定具30の両側にそれぞれ形成されたヒンジピン31，31を挿入して、前記固定具30が揺動可能に結合された後、前記固定具30に設けられた鋸の歯状の歯部32がベルトの先端部を噛み、ベルトバックルの上部チャンネル20の底面に密着させるようにしてベルトを固定していた。
【００１０】
しかしながら、このような方式のベルトバックルにおいては、前記固定具30の各ヒンジピン31，31がベルトバックルの各ヒンジ孔21，21を介して外部に露出するため、着用者の皮膚が外部に露出した前記固定具30のヒンジピン31，31に接触して傷つけたり、衣服が引っ掛って裂けると共に、外観上にも好ましくないという不都合な点があった。
【００１１】
（発明の開示）
従って、本発明の目的は、ベルトの先端部をベルトバックルに固定する固定具のヒンジピンが外部に露出しないようにして、着用時の安全性を向上させることのできるベルトバックルを提供することである。
【００１２】
このような目的を達成するために、本発明に係るベルトバックルは、中央に切欠部が形成され、両方長さ方向に所定高さの側壁が屈曲形成される底面板、及び、該底面板の側壁上部に一体的に取り付けられて該底面板との間にベルト通路を形成する前面板からなるベルト本体と、一方端部に歯部が形成されて該歯部の両方端部にヒンジピンが形成された固定具と、該固定具を前記底面板の側壁内部に固定させる固定片と、から構成される。
【００１３】
前記バックル本体の底面板には、中央部に形成されたベルト通過用切欠部を基準にして前方側にベルトの位置固定用フックが上向きに突出形成され、前記底面板の後方側には、該底面板の側壁間に挿入される前記固定片の底板との結合のための固定孔が穿孔形成される。
【００１４】
前記固定片は、前記バックル本体の後方側底面板の上面に密着固定され、その中央部には前記底面板の後方側に形成された固定孔に一致する固定孔が穿孔形成される底板と、該底板の両方側に所定高さを有して屈曲形成される側壁と、から構成される。
【００１５】
前記固定片の側壁には前記底板から延長される延長端部が後方側に形成され、該延長端部の下方側には前記固定具のヒンジピンが挿入される固定凹溝が形成されて、前記固定具のヒンジピンを前記固定片の側壁に形成された固定凹溝に挿入させた状態で前記固定片を前記底面板の側壁間に挿入すると、ベルト本体の底面板に形成された切欠部の辺部である前記底面板の側壁と上面とが接する部位に形成される支持辺部と前記固定片の延長端部に形成された固定凹溝間に前記固定具のヒンジピンが閉ざされるので、前記固定具が前記ヒンジピンを軸に揺動可能になる。
【００１６】
ここで、前記固定片の他の実施形態として、該固定片の側壁の延長端部に形成される固定凹溝の代わりに固定孔を穿孔形成して、前記固定具のヒンジピンを前記固定孔に予め挿入させた状態で、前記固定片をベルトバックルの側壁内側に結合させることもできる。
【００１７】
また、前記固定片のその他の実施例として、前記底面板の側壁内側面に接する前記固定片の側壁を内側に屈曲させて固定突部を形成し、該固定突部に前記固定具のヒンジピンが挿入される固定孔を穿孔形成して、前記固定具をバックル本体に結合させることもできる。
【００１８】
（好適な実施態様の詳細な説明）
以下、本発明の実施の形態について添付図面を用いて詳細に説明する。
【００１９】
図2は、本発明に係るベルトバックルの構造を示す分解斜視図である。図3は結合状態を示す斜視図である。図中、参照符号100は、バックル本体を示している。
【００２０】
前記バックル本体100は、中央部にほぼ長方形の切欠部111が形成された底面板110と、該底面板110の両方長さ方向に所定高さを有して屈曲形成された各側壁120，120と、それら側壁120，120の上方側辺部に固定されて前記底面板110との間にベルト通路Pを形成する前面板130と、から構成される。
【００２１】
前記底面板110は、その中央部の切欠部111を基準にして前方板112と後方板114とに区分され、前記各側壁120，120と接する部位の前記底面板110には、前記切欠部111を形成するとき、ほぼ前記各側壁120，120の厚さほどの幅を有する各支持辺部116，116が前記切欠部111の両方側にそれぞれ形成される。
【００２２】
前記底面板110の前方板112にはベルト位置固定用フック113が突出形成され、前記底面板110の後方板114には固定孔115が穿孔形成される。
【００２３】
このように構成された前記バックル本体100にベルトBの先端部を固定させるための固定具200は、一方端部がほぼ直角に屈曲され、該屈曲部の端部には鋸の歯形状の歯部210が形成されて、ベルトBの固定時に該ベルトBの先端部が前記前面板130の底面に堅固に密着固定するように形成され、前記歯部210の両方端部には各ヒンジピン212，212が所定の長さだけそれぞれ突出形成されている。
【００２４】
前記固定具200の他側端部には、前記前面板130の底面に向かって所定傾斜角を有して屈曲される傾斜端部214が形成されて、前記バックル本体100の底面板110と前面板130との間に形成されるベルト通路Pに進入されるベルトBの後方端部が前記底面板110の切欠部111に円滑に誘導されるようになっている。
【００２５】
そして、前記固定具200を前記バックル本体100に固定させるための固定片300は、前記バックル本体100の底面板110の後方板114とほぼ同一大きさ及び同一形状を有する底板310と、該底板310の両方側から上方側に屈曲形成される各側壁312，312とから構成される。
【００２６】
前記底板310の所定部位には、前記バックル本体100の底面板110の後方板114に形成された固定孔115と対応する固定孔311が穿孔形成され、それら固定孔115，311を介してリベットRにより相互結合されるようになっている。
【００２７】
また、前記各側壁312，312には、前記底板310の前方外側に延長形成される延長端部314，314がそれぞれ形成され、それら延長端部314，314の下方側には前記固定具200の各ヒンジピン212，212が挿入される各固定凹溝313，313がそれぞれ形成されている。
【００２８】
このように構成された本発明に係るベルトバックルにおいては、バックル本体100の底面板110を所定の大きさに切断した後、長さ方向の両側辺部を屈曲して両方側壁120，120をそれぞれ形成する。所定大きさの前面板130は、溶接などの方法によって側壁120，120の上方側に固定される。
【００２９】
四角管体状の部材を一体型に形成した後、必要な部位を切断または研削してバックル本体を形成することもできる。
【００３０】
そして、このように製作された前記バックル本体100に固定具200を結合させるためには、前記固定具200の歯部210が上方側の前記バックル本体100の前面板130の底面に向かった状態で、各ヒンジピン212，212を固定片300の各側壁312，312の延長端部314，314に形成された各固定凹溝313，313に挿入した後、前記バックル本体100の後方側ベルト通路Pを介して挿入させると、図3に示したように、前記固定片300の各側壁312，312が前記バックル本体100の各側壁120，120の内側にそれぞれ密着された状態を維持し、前記固定片300の底板310は前記バックル本体100の底面板110の後方板114の上面に密着接触するようになる。
【００３１】
このとき、前記固定具200の各ヒンジピン212，212は、図5に示したように、前記固定片300の各側壁部312，312の延長端部314，314にそれぞれ形成された各固定凹溝313，313と前記底面板110の切欠部111の外側に形成された各支持辺部116，116との間で閉ざされた状態になるので、前記固定具200は前記各ヒンジピン212，212を中心に前記切欠部111を介して図4に示したように下方側に揺動可能になる。
【００３２】
このような状態で、リベットRを利用して前記固定片300の底板310及び前記底面板110の後方板114にそれぞれ穿孔形成された各固定孔311，115を通過させて固定させることで、バックルの組立が終了する。
【００３３】
このように組立てられたバックルにベルトBを固定させるためには、図4の仮想線で示したように、前記固定具200を前記底面板110の切欠部111を介して下方側に揺動させることで前記固定具200の歯部210と前記前面板130の底面との間に所定間隔を形成した後、ベルトBの先端部をその間に挿入した状態で、今度は前記固定具200を反対方向である前記前面板130側に揺動させると、図4の実線で示したような状態でベルトBの先端部がベルトバックルに固定される。
【００３４】
このような状態で、ベルトBの後方端部をベルトバックルのベルト通路Pを介して挿入すると、ベルトBの後方端部は前記固定具200の傾斜端部214によって切欠部111側に案内され、該切欠部111を通過したベルトBの後方端部は、該ベルトBの固定端部である先端部の内側と衣服との間に位置決めされ、ベルトBの底面に形成された位置固定溝Hが前記底面板110のフック113に引っ掛って安定した状態で位置固定される。
【００３５】
一方、前記固定片の他の実施例においては、図6に示したように、固定片400（一方側だけ図示）の側壁410の延長端部420を内側に突出するように屈曲形成して固定突部422を形成し、該固定突部422に固定具200のヒンジピン212が挿入される固定孔421を穿孔形成してある。
【００３６】
このような前記固定片400を利用して前記固定具200をバックル本体100に固定させるためには、前記固定具200のヒンジピン212を前記固定突部422の固定孔421に挿入した後、前記図2に示したように、前記固定片400をバックル本体100のベルト通路Pに挿入してリベットRにより固定して結合させることもできる。
【００３７】
また、前記固定片のその他の実施例においては、図7に示したように、固定片300の各側壁312，312の延長端部314，314に形成される固定凹溝313，313（図2）の代わりに、固定孔315を穿孔形成したものである。
【００３８】
（発明の効果）
以上説明したように、本発明に係るベルトバックルにおいては、ベルト固定用固定具のヒンジピンが外部に露出しない状態で結合されるため、着用者の体や衣服に損傷を与える恐れがなく、外観を改善し得るという効果がある。
【図面の簡単な説明】
【図１】  従来のベルトバックルにおいて、固定具の結合状態を示す断面図である。
【図２】  本発明に係るベルトバックルの構造を示す分解斜視図である。
【図３】  図2のベルトバックルが組立てられた状態を示す部分切欠斜視図である。
【図４】  図2のベルトバックルが組立てられた状態での作用を示す断面図である。
【図５】  図4のV−V線断面図である
【図６】  図2の固定片の他の実施例を示す部分切欠斜視図である。
【図７】  図2の固定片のその他の実施例を示す斜視図である。
【図１】
0003787523.tif 000002
【図２】
0003787523.tif 000003
【図３】
0003787523.tif 000004
【図４】
0003787523.tif 000005
【図５】
0003787523.tif 000006
【図６】
0003787523.tif 000007
【図７】
0003787523.tif 000008